(57)【要約】【課題】小型化が可能で、かつワイヤハーネス本体に安定した状態で固定可能なワイヤハーネス用コネクタを提供する。【解決手段】複数本のコネクタ端子１０及びコネクタ端子１０を保持する絶縁ハウジング２０を有する単位コネクタＣ１〜Ｃ３と、各単位コネクタＣ１〜Ｃ３のコネクタ端子１０同士を電気的に接続するためのフレキシブル配線材３０とを設け、フレキシブル配線材３０の導体３２と特定のコネクタ端子１０とを交差する状態で電気的に接続し、絶縁ハウジング２０に、相手方コネクタのコネクタ端子と結合する部分を囲むような形状を有するフード２２を設けるとともに、当該フード２２に、各単位コネクタＣ１〜Ｃ３をワイヤハーネス本体５０の周囲に巻きつけつつワイヤハーネス本体５０に締め付けることでこれら各単位コネクタＣ１〜Ｃ３を一括してワイヤハーネス本体５０に固定可能な結束バンド４０を案内する案内部２４を設ける。【選択図】図６
2008071628.tif 000002
【特許請求の範囲】
【請求項１】
ワイヤハーネスに付設されるワイヤハーネス用コネクタであって、
複数本のコネクタ端子及びこれらのコネクタ端子を保持する絶縁ハウジングを有する複数個の単位コネクタと、
これらの単位コネクタのコネクタ端子同士を電気的に接続するためのフレキシブル配線材とを備え、
前記フレキシブル配線材は、互いに平行となる姿勢で平面状に配され、前記コネクタ端子のうちの特定のコネクタ端子にこのコネクタ端子と交差する状態で電気的に接続される複数本の導体と、これらの導体を被覆して一体化する偏平な絶縁層とを有し、
前記絶縁ハウジングは、前記コネクタ端子のうち相手方コネクタのコネクタ端子と結合可能な部分を囲むような形状を有するフードと、当該フードに設けられて、前記各単位コネクタを前記ワイヤハーネス本体の周囲に巻きつけつつ当該ワイヤハーネス本体側に締め付けることでこれら各単位コネクタを一括して前記ワイヤハーネス本体に固定可能な結束バンドを前記フレキシブル配線材の長手方向に案内する案内部とを有することを特徴とするワイヤハーネス用コネクタ。
【請求項２】
請求項１に記載のワイヤハーネス用コネクタであって、
前記案内部が、当該案内部に案内された前記結束バンドが当該結束バンドの幅方向であって前記フレキシブル配線材の長手方向と直交する方向に移動するのを規制するような形状を有する幅方向規制部を備えることを特徴とするワイヤハーネス用コネクタ。
【請求項３】
請求項１または２に記載のワイヤハーネス用コネクタであって、
前記案内部が、当該案内部に案内された前記結束バンドが当該結束バンドの上下方向であって前記絶縁ハウジングのフードから離脱する方向へ移動するのを規制するような形状を有する上下方向規制部を備えることを特徴とするワイヤハーネス用コネクタ。
【請求項４】
請求項１〜３の何れかに記載のワイヤハーネス用コネクタがワイヤハーネス本体に固定される際の固定構造であって、
前記各単位コネクタを前記ワイヤハーネス本体の周囲に巻きつけつつ当該ワイヤハーネス本体側に締めつけることでこれら各単位コネクタを一括して前記ワイヤハーネス本体に固定可能な結束バンドが前記案内部に案内されており、
前記各単位コネクタが、前記フレキシブル配線材の曲げ変形を伴って前記ワイヤハーネス本体の周方向に並ぶ姿勢で当該ワイヤハーネス本体の周囲に巻きつけられるとともに、前記結束バンドによって前記ワイヤハーネス本体に一括して固定されることを特徴とするワイヤハーネス用コネクタの固定構造。
【請求項５】
請求項４に記載のワイヤハーネス用コネクタがワイヤハーネス本体に固定される固定構造であって、
前記各単位コネクタが、前記コネクタ端子と前記フレキシブル配線材の導体とが接続される部分を覆うように前記絶縁ハウジングに装着されるカバーを有し、
当該各単位コネクタのカバーが、粘着テープにより一括して前記ワイヤハーネス本体に固定されることを特徴とするワイヤハーネス用コネクタの固定構造。
【請求項６】
請求項１〜３の何れかに記載のワイヤハーネス用コネクタを前記ワイヤハーネス本体に固定するワイヤハーネス用コネクタの固定方法であって、
前記各単位コネクタの案内部に前記結束バンドを案内する結束バンド案内工程と、
当該結束バンドが案内された各単位コネクタを、前記フレキシブル配線材の曲げ変形を伴いつつ前記ワイヤハーネス本体に周方向に並ぶ姿勢で巻きつける巻きつけ工程と、
前記結束バンドにより前記各単位コネクタを前記ワイヤハーネス本体に一括して固定する結束工程と、
前記結束バンドにより固定された各単位コネクタの前記カバーの周囲を粘着テープにより一括して固定するテープ固定工程とを含むことを特徴とするワイヤハーネス用コネクタの固定方法。
【発明の詳細な説明】
【技術分野】
【０００１】
本発明は、自動車等に配索されるワイヤハーネスに巻きつけ状態で固定されるワイヤハーネス用コネクタに関するものである。
【背景技術】
【０００２】
前記のようなワイヤハーネス用コネクタとしては、特許文献１に、複数の単位コネクタと、これら単位コネクタのコネクタ端子同士を電気的に接続するためのフレキシブル配線材とを備え、フレキシブル配線材に設けられた導体と前記コネクタ端子とを交差する状態で電気的に接続するとともに、このフレキシブル配線材の曲げ変形を伴いながら各単位コネクタをワイヤハーネス本体の周囲に巻きつけ可能としたものが開示されている。このワイヤハーネス用コネクタを用いれば、各単位コネクタにワイヤハーネス側の適当なコネクタを結合するだけの簡単な作業で、当該コネクタに接続されている電線同士を相互接続することが可能になる。
【特許文献１】特開２００６−１３６１１６号公報
【発明の開示】
【発明が解決しようとする課題】
【０００３】
しかし、前記特許文献１に記載のコネクタでは、特許文献１の図３に示すように粘着テープによって各単位コネクタをワイヤハーネス本体に巻きつけ固定しているため、各単位コネクタにワイヤハーネス側のコネクタを結合しようとすると、粘着テープが緩んで単位コネクタがフレキシブル配線材の長手方向と直交する方向に動いてしまう場合がある。そして、このように単位コネクタが動いてしまうと、単位コネクタのコネクタ端子とフレキシブル配線材との接続部分に応力が発生し接続不良を生じる可能性がある。一方、この問題を解決するために、単位コネクタの周囲に十分な量のテープを巻きつけて前記単位コネクタの移動を抑制しようとすれば、そのテープ分だけ単位コネクタを大型化せねばならないという問題がある。
【０００４】
本発明は、このような事情に鑑み、小型化が可能で、かつワイヤハーネス本体に安定した状態で固定可能なワイヤハーネス用コネクタの提供を目的とする。
【課題を解決するための手段】
【０００５】
前記課題を解決するために本発明は、ワイヤハーネスに付設されるワイヤハーネス用コネクタであって、複数本のコネクタ端子及びこれらのコネクタ端子を保持する絶縁ハウジングを有する複数個の単位コネクタと、これらの単位コネクタのコネクタ端子同士を電気的に接続するためのフレキシブル配線材とを備え、前記フレキシブル配線材は、互いに平行となる姿勢で平面状に配され、前記コネクタ端子のうちの特定のコネクタ端子にこのコネクタ端子と交差する状態で電気的に接続される複数本の導体と、これらの導体を被覆して一体化する偏平な絶縁層とを有し、前記絶縁ハウジングは、前記コネクタ端子のうち相手方コネクタのコネクタ端子と結合可能な部分を囲むような形状を有するフードと、当該フードに設けられて、前記各単位コネクタを前記ワイヤハーネス本体の周囲に巻きつけつつ当該ワイヤハーネス本体側に締め付けることでこれら各単位コネクタを一括して前記ワイヤハーネス本体に固定可能な結束バンドを前記フレキシブル配線材の長手方向に案内する案内部とを有することを特徴とするワイヤハーネス用コネクタを提供する（請求項１）。
【０００６】
このような構成によれば、各単位コネクタのコネクタ端子同士がフレキシブル配線材を介して電気的に相互に接続されるので、各単位コネクタに適当な相手方コネクタを結合するだけでこの相手方コネクタ同士を電気的に接続することが可能になる。また、絶縁ハウジングのフードに結束バンドを案内可能な案内部が設けられているので、この案内部に結束バンドを案内してやれば、結束バンドの位置ずれを抑制しつつ、この結束バンドを各単位コネクタの周囲に簡単に巻きつけることができる。そして、このようにして巻きつけた結束バンドによって各単位コネクタを径方向中心すなわちワイヤハーネス本体側に向かって締め付けることで、各単位コネクタをワイヤハーネス本体に縛りつけることができるので、従来のテープ巻のようにテープの緩みによって各単位コネクタが相対移動するのを抑制でき、安定した固定力を確保することが可能になる。すなわち、本構成によれば、案内部を設けるフード部分ひいては単位コネクタを小型化しつつ当該単位コネクタをワイヤハーネス本体に安定して固定することが可能になる。特に、この案内部が相手方コネクタのコネクタ端子と結合可能なコネクタ端子部分を囲むようなフードに設けられており、結束バンドがこのフードを固定するように構成されているので、コネクタ結合時にコネクタ端子とフレキシブル配線材との接続部分に応力が発生するのを効果的に抑制することができる。
【０００７】
また本発明において、前記案内部が、当該案内部に案内された前記結束バンドが当該結束バンドの幅方向であって前記フレキシブル配線材の長手方向と直交する方向に移動するのを規制するような形状を有する幅方向規制部を備えるのが好ましい（請求項２）。
【０００８】
このような構成によれば、単位コネクタの周囲に巻きつけられた結束バンドが絶縁ハウジングに対して結束バンドの幅方向に相対移動するのが抑制され、さらには、隣り合う単位コネクタ同士が前記幅方向に相対移動するのが抑制されるので、より安定して単位コネクタを固定することが可能になる。特に、コネクタ結合時に各単位コネクタが動いてしまうのを確実に抑制することができるので、コネクタ端子とフレキシブル配線材との接続部分に応力が発生するのをより確実に抑止することができる。
【０００９】
また本発明において、前記案内部が、当該案内部に案内された前記結束バンドが当該結束バンドの上下方向であって前記絶縁ハウジングのフードから離脱する方向へ移動するのを規制するような形状を有する上下方向規制部を備えるのが好ましい（請求項３）。
【００１０】
このような構成によれば、結束バンドの上下方向の移動が抑制されるので、結束バンドが絶縁ハウジングから外れてしまうのを抑制することができ、より安定して単位コネクタを固定することが可能になる。
【００１１】
そして、前記のようなワイヤハーネス用コネクタによれば、前記各単位コネクタを前記ワイヤハーネス本体の周囲に巻きつけつつ当該ワイヤハーネス本体側に締めつけることでこれら各単位コネクタを一括して前記ワイヤハーネス本体に固定可能な結束バンドが前記案内部に案内され、前記各単位コネクタが、前記フレキシブル配線材の曲げ変形を伴って前記ワイヤハーネス本体の周方向に並ぶ姿勢で当該ワイヤハーネス本体の周囲に巻きつけられるとともに、前記結束バンドによって前記ワイヤハーネス本体に一括して固定されるような固定構造を実現することが可能になる（請求項４）。
【００１２】
このように単位コネクタを結束バンドによってワイヤハーネス本体に一括して固定することができれば、従来のテープ巻のように単位コネクタの周囲に何重にも粘着テープを巻きつけることなく安定した固定力を確保することが可能になる。
【００１３】
また前記ワイヤハーネス用コネクタの固定構造としては、前記各単位コネクタが、前記コネクタ端子と前記フレキシブル配線材の導体とが接続される部分を覆うように前記絶縁ハウジングに装着されるカバーを有し、当該各単位コネクタのカバーが、粘着テープにより一括して前記ワイヤハーネス本体に固定されるのが好ましい（請求項５）。
【００１４】
このような構成によれば、単位コネクタのうちの前記フードおよび絶縁ハウジングが結束バンドで固定されるとともに、単位コネクタのうちのカバーが粘着テープにより固定されるため、より安定して単位コネクタをワイヤハーネス本体に固定することが可能になる。
【００１５】
また前記のワイヤハーネス用コネクタをワイヤハーネス本体に固定する固定方法としては、前記各単位コネクタの案内部に前記結束バンドを案内する結束バンド案内工程と、当該結束バンドが案内された各単位コネクタを、前記フレキシブル配線材の曲げ変形を伴いつつ前記ワイヤハーネス本体に周方向に並ぶ姿勢で巻きつける巻きつけ工程と、前記結束バンドにより前記各単位コネクタを前記ワイヤハーネス本体に一括して固定する結束工程と、前記結束バンドにより固定された各単位コネクタのカバーの周囲を粘着テープにより一括して固定するテープ固定工程とを含む固定方法を用いるのがよい（請求項６）。
【００１６】
この方法によれば、まず結束バンド案内工程において結束バンドを案内部に案内しておき、巻きつけ工程において各単位コネクタをワイヤハーネス本体に巻きつけているため、結束バンドをワイヤハーネス本体に巻きつけられた単位コネクタの周囲に簡単に巻きつけることができる。そして、結束工程において結束バンドにより単位コネクタを一括固定するとともにテープ固定工程においてカバーの周囲を粘着テープにより一括して固定しているので、結束バンドとテープ巻とによる固定によって単位コネクタをより安定してワイヤハーネス本体に固定することができる。特に、結束工程の後にテープ固定を行っており、結束バンドによる一括固定によって単位コネクタが十分にワイヤハーネス本体に巻きつけられた状態で粘着テープを巻きつけることができるので、粘着テープの緩みをより確実に抑制することができる。
【発明の効果】
【００１７】
以上のように、本発明によれば、小型化が可能で、かつワイヤハーネス本体に安定した状態で固定可能なワイヤハーネス用コネクタを提供することができる。
【発明を実施するための最良の形態】
【００１８】
以下、本発明の好ましい実施形態について図面を参照して説明する。
【００１９】
図１は、本実施形態に係るワイヤハーネス用コネクタの概略斜視図であり、図２はこのワイヤハーネス用コネクタの一部断面図であり、図３および図４はこのワイヤハーネス用コネクタに巻きつけられる結束バンドの一例を示す上面図および正面図であり、図５はワイヤハーネス用コネクタをワイヤハーネス本体に固定した際の正面図であり、図６は図５の側面図である。
【００２０】
ワイヤハーネス用コネクタ１は、３つの単位コネクタＣ１，Ｃ２，Ｃ３を有し、これらの単位コネクタＣ１〜Ｃ３が一体に連結され、かつ相互に電気的に接続されている。
【００２１】
前記各単位コネクタＣ１〜Ｃ３は、図２に示すような複数本（図例では５本）のピン状のコネクタ端子１０と、これらのコネクタ端子１０を保持する絶縁ハウジング２０と、フレキシブル配線材３０と、カバー２６とを備えている。
【００２２】
前記複数のコネクタ端子１０は、その軸方向と略直交する方向に互いに平行な姿勢で配列されている。図２に示されるように、前記各単位コネクタに含まれるコネクタ端子１０の軸方向前側部分（同図では右側部分）は、ワイヤハーネス本体５０に接続される相手方コネクタ端子と嵌合可能な電気接続タブ１２であり、軸方向後側部分（同図では左側部分）は、前記フレキシブル配線材３０に接続される配線材接続部１４である。そして、これら電気接続タブ１２と配線材接続部１４との間には幅広の鍔部１６が形成されている。これらコネクタ端子１０は、その軸方向と直交する方向に配列された状態で前記絶縁ハウジング２０に保持されている。
【００２３】
なお、本発明では各コネクタ端子の具体的形状や雄雌の別を問わない。これらの要素はコネクタの使用箇所等に応じて任意に設定すればよい。
【００２４】
各絶縁ハウジング２０は、フード２２と端子保持部２５とを有している。フード２２は、前方（図２の右側）に延びてコネクタ端子１０のうち前記電気接続タブ１２を囲むような形状を有している。また、このフード２２は相手方コネクタのコネクタハウジングが侵入可能なように形成されている。
【００２５】
図１に示すように、このフード２２の上方には案内部２４がそれぞれ設けられている。この案内部２４は後述する結束バンド４０を各単位コネクタＣ１〜Ｃ３に亘ってフレキシブル配線材３０の長手方向に案内するものである。案内部２４は、コネクタ端子１０の軸方向前後に設けられて上方に突出する幅方向規制部２４ａとこの幅方向規制部２４ａの上面を連結する上下方向規制部２４ｂとを有している。この幅方向規制部２４ａは案内部２４に挿通された結束バンド４０の幅方向（コネクタ端子１０の軸方向であってフレキシブル配線材３０の長手方向と直交する方向）の移動を規制するものである。一方、上下方向規制部２４ｂは結束バンド４０の上下方向の移動を規制するものである。幅方向規制部２４ａは前記のように結束バンド４０の幅方向の移動を規制して結束バンド４０がフード２２から外れないようにしている。さらにこの幅方向規制部２４ａは前記のように結束バンド４０の幅方向の移動を規制することで、隣り合う各単位コネクタの前記幅方向（コネクタ端子１０の軸方向）の相対移動を抑制している。また、上下方向規制部２４ｂは、案内部２４に案内された結束バンド４０がフード２２から離脱するのを規制することで各単位コネクタがそれぞれ相対移動してしまうのを抑制している。特に、ここでは、図１および図６に示すように前記幅方向規制部２４ａのコネクタ端子１０の軸方向前側の幅方方向規制部と後側の幅方向規制部とを、コネクタ端子１０の軸方向と垂直な方向において前後方向に互いにずらした位置に設けており、結束バンド４０をより挿入しやすいように形成している。
【００２６】
前記端子保持部２５は、前記フード２２と一体に形成されている。この端子保持部２５は各コネクタ端子１０を保持するためのものである。そして、各コネクタ端子１０は、この端子保持部２５に垂直に圧入されて、その軸方向中間部位が端子保持部２５に保持されている。具体的には、各コネクタ端子１０のうち前記電気接続タブ１２が前記フード２２内に突出するとともに各コネクタ端子１０のうち前記配線材接続部１４が前記カバー２６内に突出するように、コネクタ端子１０のうちの前記鍔部１６付近が端子保持部２５に保持されている。
【００２７】
前記フレキシブル配線材３０は、図２に示すような５本の導体３２と、これらの導体３２を覆う絶縁層３４とを備えた薄肉のフラット配線材である。
【００２８】
前記各導体３２は偏平で薄肉の形状（例えば平型形状）をなし、互いに平行な姿勢でその肉厚方向と直交する方向に配列されている。そして、これらの導体３２を表裏両側から覆うように前記絶縁層３４が成形されることにより、全体が一体化され、かつ、その肉厚方向に曲げ変形することが可能なように形成されている。このフレキシブル配線材３０は絶縁ハウジング２０に設けられた図示しないフレキシブル配線材保持部により保持されている。
【００２９】
表裏両側の前記絶縁層３４の適所には、この絶縁層３４を貫通する窓３４ａが形成されている。これらの窓３４ａは、各導体３２とこれらの導体３２に接続されるべき前記コネクタ端子１０の配線材接続部１４とが交差する位置に形成され、当該窓３４ａが形成された位置で各導体３２が部分的に絶縁層３４の外側に露出している。そして、この交差位置で導体３２と配線材接続部１４とが相互に溶接されて電気的に接続されている。この溶接及び電気的接続は、例えば、一対の溶接用電極のうちの一方の電極を前記フレキシブル配線材３０に設けられた窓３４ａを通じて各導体３２にあてがい、他方の電極を前記カバー２６の内側空間を通じて前記交差部分における配線材接続部１４にあてがって、両電極間に必要な電圧を印加する、という方法により実現することが可能である。
【００３０】
なお、本発明はフレキシブル配線材３０の具体的な構造は問わない。例えば、前記フレキシブル配線材３０がフレキシブルプリント回路（ＦＰＣ）やリボン電線、あるいは複数本の絶縁電線を単に配列しただけのものであってもよい。ただし、前記のようなフラット配線材は、その構造が簡単で取扱いが容易であるという利点をもつ。
【００３１】
前記カバー２６は、このコネクタ端子１０の配線材接続部１４と前記フレキシブル配線材３０の導体３２との接続部分を保護するためのものである。このカバー２６は、コネクタ端子１０側とフレキシブル配線材３０側の双方から、このコネクタ端子１０とフレキシブル配線材３０が交差する部分を覆うような形状を有している。そして、このカバー２６は前記絶縁ハウジング２０のフード２２に着脱可能に装着され、前記配線材接続部１４と導体３２との接続部分に水等が浸入するのを抑制している。
【００３２】
次に、前記フード２２に設けられた案内部２４に挿通される結束バンド４０の一例を、図３および図４を用いて説明する。
【００３３】
結束バンド４０は、各単位コネクタＣ１〜Ｃ３をワイヤハーネス本体５０に一括して固定するためのものである。この結束バンド４０は、樹脂等からなり可撓性を有する部材である。結束バンド４０には、図３に示すように、その長手方向に一定の間隔で形成された係止溝４０ａが設けられている。さらに、その長手方向の一端には前記係止溝４０ａに係止される係止突起４４ａを有する係止部４４が設けられている。このような結束バンド４０によれば、結束したい物体の周囲に結束バンド４０を巻きつけ、その後、結束バンド４０の長手方向他端４２を前記係止部４４に挿入し前記係止溝４０ａと係止突起４４ａとを係合するという簡単な方法で、この結束バンド４０の内側に設けられた物体を容易に結束することができる。特に、前記係止溝４０ａは係止突起４４ａが一方向にしか移動できないような形状を有しており、一旦係合された結束バンド４０は容易に緩まないようになっている。
【００３４】
図５に示すように、この結束バンド４０は案内部２４に挿通されて各単位コネクタのフード２２の周囲に巻きつけられる。そして、各単位コネクタは、前記係止溝４０ａと係止突起４４ａとの係合によって径方向中心に締め付けられ、ワイヤハーネス本体５０に縛り付けられることになる。このようにしてワイヤハーネス本体５０に押圧された状態で縛り付けられた単位コネクタは、径方向の移動はもちろんのこと周方向の移動も抑制されることになる。
【００３５】
次に、このワイヤハーネス用コネクタ１をワイヤハーネス本体５０に固定する固定方法について説明する。この固定方法は以下の各工程を含んでいる。
【００３６】
１）結束バンド案内工程
この工程では、単位コネクタの各案内部２４に結束バンド４０を案内する。具体的には案内部２４の幅方向規制部２４ａと上下方向規制部２４ｂで囲まれた部分に結束バンド４０を挿通していく。
【００３７】
２）巻きつけ工程
この工程では、前記フレキシブル配線材３０を曲げ変形させつつ、各単位コネクタをワイヤハーネス本体５０の周囲に巻きつける。このとき、前記案内部２４に挿通された結束バンド４０も前記フレキシブル配線材３０の曲げ変形に伴って曲げ変形させる。
【００３８】
３）結束工程
この工程では、まず、結束バンド４０の前記係止部４４に結束バンド４０の端部４２を挿入する。次に、前記係止突起４４ａと係止溝４０ａとを係合させつつ端部４２を引っ張り、各単位コネクタを径方向中心すなわちワイヤハーネス本体側に締め付けていく。そして、この端部４２が移動しなくなるまで引っ張ることにより、各単位コネクタをワイヤハーネス本体５０に縛り付けて固定する。その後、前記係止部４４から端部４２までの不要な部分を切除する。
【００３９】
４）テープ固定工程
この工程では、図６に示すように、ワイヤハーネス本体５０の周囲に巻きつけられた各単位コネクタのカバー２６の周囲に粘着テープ６０を巻きつける。
【００４０】
以上のようにしてワイヤハーネス本体５０に固定された各単位コネクタは、ワイヤハーネス本体５０に接続される図示しないコネクタと接続されることで、このコネクタ同士を電気的に相互に接続することが可能になる。
【００４１】
以上示したワイヤハーネス用コネクタ１は、各単位コネクタが結束バンド４０により径方向中心側、すなわちワイヤハーネス本体５０側に締め付けられてワイヤハーネス本体５０の周囲に縛り付けられるので、従来のテープ巻のようにテープの緩みにより単位コネクタが相対移動するという事態を回避することができ、各単位コネクタをより安定して固定することができる。特に、案内部２４を設けることでこの結束バンド４０をフード２２の周囲に安定して固定することができる。
【００４２】
また、従来のテープ巻では、十分な固定力を確保するためには十分な量の粘着テープを巻きつける必要があり、そのために粘着テープを巻きつける部分を小型化するのが困難であったが、本ワイヤハーネス用コネクタ１では、前記のように結束バンド４０を用いることができるので、フード２２を小型化することが可能になる。すなわち、本ワイヤハーネス用コネクタ１によれば、フード２２ひいては各単位コネクタを小型化しつつ安定してワイヤハーネス本体５０に固定可能なコネクタを提供することが可能になる。
【００４３】
特に、相手方コネクタが挿入されるフード２２部分を結束バンド４０により固定しているので、相手方コネクタを各単位コネクタに結合する際に、フレキシブル配線材３０とコネクタ端子１０との接続部分に応力が発生するのを効果的に抑制することができる。
【００４４】
また、案内部２４に結束バンド４０の幅方向の移動を規制する幅方向規制部２４ａや結束バンド４０の上下方向の移動を規制する上下方向規制部２４ｂを設けておけば、結束バンド４０のずれを抑制することができ、さらには各単位コネクタの相対移動を抑制することができるので、より安定した状態で単位コネクタを固定することができる。
【００４５】
また、結束バンド４０による固定に加えて、単位コネクタのカバー２６の周囲を粘着テープ６０で巻きつけるようにすれば、より安定した固定が可能になる。
【００４６】
特に、結束バンド４０によって単位コネクタを固定する結束工程の後に、前記粘着テープ６０によるテープ固定工程を行うようにすれば、結束バンド４０によって各単位コネクタが十分にワイヤハーネス本体５０に巻きつけられた状態で粘着テープ６０を巻きつけることができるので、粘着テープ６０を緩みなく巻きつけることが可能になる。
【００４７】
ここで、結束バンド４０の形状は前記実施形態に限らず、単位コネクタをワイヤハーネス本体５０側に締め付け一括してワイヤハーネス本体５０に固定できるものであればよい。
【００４８】
また、単位コネクタに設けられた案内部２４の形状は前記実施形態に限らず、例えば、フード２２の上面に形成された溝等であってもよい。
【００４９】
また、単位コネクタやコネクタ端子１０の数量は前記に限らない。
【００５０】
また、前記実施形態では、各単位コネクタをワイヤハーネス本体５０に接続されるコネクタに結合する場合について示したが、例えば、前記以外のワイヤハーネスから導かれるコネクタに結合されるものでもよい。
【図面の簡単な説明】
【００５１】
【図１】本発明に係るワイヤハーネス用コネクタの概略斜視図である。
【図２】図１に示すワイヤハーネス用コネクタの一部断面図である。
【図３】図１に示すワイヤハーネス用コネクタに巻きつけられる結束バンドを示す上面図である。
【図４】図１に示すワイヤハーネス用コネクタに巻きつけられる結束バンドを示す側面図である。
【図５】図１に示すワイヤハーネス用コネクタをワイヤハーネス本体に固定した際の正面図である。
【図６】図１に示すワイヤハーネス用コネクタをワイヤハーネス本体に固定した際の側面図である。
【符号の説明】
【００５２】
Ｃ１，Ｃ２，Ｃ３  単位コネクタ
１    ワイヤハーネス用コネクタ
１０    コネクタ端子
２０    絶縁ハウジング
２２    フード
２４    案内部
２４ａ  幅方向規制部
２４ｂ  上下方向規制部
２６    カバー
３０    フレキシブル配線材
３２    導体
４０    結束バンド
５０    ワイヤハーネス本体
６０    粘着テープ
【図１】
2008071628.tif 000003
【図２】
2008071628.tif 000004
【図３】
2008071628.tif 000005
【図４】
2008071628.tif 000006
【図５】
2008071628.tif 000007
【図６】
2008071628.tif 000008